(57)【要約】【課題】外装部分に汚れが生じた場合や、外装の形状に飽きてしまった場合に、安価に外装を交換可能な移動無線端末装置を提供する。【解決手段】発信要求や着信応答を受け付けるユーザインタフェース３００がぬいぐるみ等の玩具に予め搭載されており、ユーザインタフェース３００のインタフェース３１０と、主制御装置１００の第２インタフェース１０８が着脱自在な構成となっており、主制御装置１００と無線通信モジュール２００は、上記玩具内に収納可能となっている。そして、主制御装置１００は、ユーザインタフェース３００で受け付けたユーザ指示にしたがって無線通信モジュール２００を制御して、通信を行うようにしたものである。【選択図】      図１
2010011279.tif 000002
【特許請求の範囲】
【請求項１】
玩具と、移動通信網に収容される基地局装置と無線通信する通信機とを備える移動無線端末装置であって、
前記玩具は、
ユーザからの要求を受け付ける受付手段と、
送話音声を入力するマイクロホンと、
受話音声を拡声出力するスピーカと、
前記通信機と着脱自在であって、前記受付手段で受け付けた要求やマイクロホンから出力される音声信号を外部に出力するとともに、外部から入力された音声信号を前記スピーカに出力する第１インタフェースとを備え、
前記通信機は、
前記第１インタフェースと着脱自在な第２インタフェースと、
前記基地局装置と無線通信する通信手段と、
前記受付手段で受け付けた要求を前記第２インタフェースを通じて取得し、その要求に応じて通信手段を制御する通信制御手段と、
この通信制御手段の制御によって通信がなされる場合に、前記通信手段が受信した受話音声信号を前記第２インタフェースを通じて前記玩具に出力するとともに、前記第２インタフェースを通じて入力される音声信号を前記通信手段によって無線送信する制御を行う通話制御手段とを備えることを特徴とする移動無線端末装置。
【請求項２】
前記玩具は、ぬいぐるみであって、
前記受付手段は、複数のスイッチからなり、各スイッチがぬいぐるみの体の部位に配設され、
前記通信制御手段は、前記スイッチに予め対応付けた電話番号を記憶し、操作されたスイッチに対応する電話番号に対して発信を行うように前記通信手段を制御することを特徴とする請求項１に記載の移動無線端末装置。
【請求項３】
前記通信機は、電話番号切替スイッチを備え、
前記通信制御手段は、前記電話番号切替スイッチの状態ごとに前記スイッチに対応付けた電話番号を記憶し、前記電話番号切替スイッチの状態に応じて、操作されたスイッチに対応する電話番号に対して発信を行うように前記通信手段を制御することを特徴とする請求項２に記載の移動無線端末装置。
【請求項４】
着信を報知する報知手段を備え、
前記通信制御手段は、予め記憶した電話番号から着信があった場合には、前記報知手段を制御して着信を報知し、一方、予め記憶した電話番号以外からの着信があった場合には、前記報知手段による着信報知を行わないことを特徴とする請求項２に記載の移動無線端末装置。
【請求項５】
前記通信制御手段は、予め記憶した所定の電話番号に発信を行った場合には、予め記憶した電話番号以外からの着信についても、前記報知手段を制御して着信報知を行うことを特徴とする請求項４に記載の移動無線端末装置。
【請求項６】
前記通信機は、
ダイヤル番号を入力するダイヤルインタフェースと、
このダイヤルインタフェースを有効にする入力切替スイッチとを備え、
前記通信制御手段は、前記入力切替スイッチが前記ダイヤルインタフェースを有効にする状態の場合には、前記ダイヤルインタフェースから入力されるダイヤル番号に発信を行い、一方、前記入力切替スイッチが前記ダイヤルインタフェースを無効にする状態の場合には、前記受付手段で受け付けた要求を前記第２インタフェースを通じて取得し、その要求に応じて通信手段を制御することを特徴とする請求項１に記載の移動無線端末装置。
【請求項７】
前記通信機は、
ダイヤル番号を入力するダイヤルインタフェースと、
このダイヤルインタフェースを覆う蓋と、
この蓋の開閉を検出する開閉検出手段とを備え、
前記通信制御手段は、前記蓋が開いた状態を前記開閉検出手段が検出した場合には、前記ダイヤルインタフェースから入力されるダイヤル番号に発信を行い、一方、前記蓋が閉じた状態を前記開閉検出手段が検出した場合には、前記受付手段で受け付けた要求を前記第２インタフェースを通じて取得し、その要求に応じて通信手段を制御することを特徴とする請求項１に記載の移動無線端末装置。
【請求項８】
前記受付手段は、スイッチからなり、
前記通信制御手段は、前記スイッチが予め設定した時間以上操作された場合に、発信を行うように前記通信手段を制御することを特徴とする請求項１に記載の移動無線端末装置。
【請求項９】
前記受付手段は、スイッチからなり、
前記通信制御手段は、前記スイッチが予め設定した第１時間以上第２時間未満の間、操作された場合に、発信を行うように前記通信手段を制御することを特徴とする請求項１に記載の移動無線端末装置。
【請求項１０】
玩具と、
前記玩具内に備えられ、ユーザからの要求を受け付ける受付手段と、
前記玩具内に備えられ、送話音声を入力するマイクロホンと、
前記玩具内に備えられ、受話音声を拡声出力するスピーカと、
通信機と着脱自在であって、前記受付手段で受け付けた要求やマイクロホンから出力される音声信号を外部に出力するとともに、外部から入力された音声信号を前記スピーカに出力するインタフェースとを具備することを特徴とするインタフェース装置。
【発明の詳細な説明】
【技術分野】
【０００１】
この発明は、例えば携帯電話機などの移動無線端末装置に関する。
【背景技術】
【０００２】
従来は、ぬいぐるみをかたどったカバーで、携帯電話機を覆うものがあった（例えば、特許文献１参照）。これは、既存の携帯電話機そのものを収容するカバーであって、携帯電話機の操作は、携帯電話機に対して行われていた。このため、このようなカバーを愛用する幼少のユーザにあっては、依然として携帯電話機の操作は難しいものであった。
【０００３】
これに対して本発明者らは、ぬいぐるみの手足にスイッチを配設した携帯電話機を考案した。しかし、想定される主なユーザは幼児であることより、外装のぬいぐるみが汚れてしまったり、また飽きてしまうなどの問題があった。この場合、携帯電話機ごと交換することになるため、ユーザにとって経済的な負担が大きい。
【特許文献１】特開２００１−０３７５１７公報
【発明の開示】
【発明が解決しようとする課題】
【０００４】
従来の移動無線端末装置では、外装部分に汚れが生じた場合や、外装の形状に飽きてしまった場合に、移動無線端末装置ごと交換することになるため、ユーザにとって経済的な負担が大きいという問題があった。  
この発明は上記の問題を解決すべくなされたもので、外装部分に汚れが生じた場合や、外装の形状に飽きてしまった場合に、安価に外装を交換可能な移動無線端末装置およびインタフェース装置を提供することを目的とする。
【課題を解決するための手段】
【０００５】
上記の目的を達成するために、この発明は、玩具と、移動通信網に収容される基地局装置と無線通信する通信機とを備える移動無線端末装置であって、玩具は、ユーザからの要求を受け付けるユーザインタフェースと、送話音声を入力するマイクロホンと、受話音声を拡声出力するスピーカと、通信機と着脱自在であって、ユーザインタフェースで受け付けた要求やマイクロホンから出力される音声信号を外部に出力するとともに、外部から入力された音声信号を前記スピーカに出力する第１インタフェースとを備え、通信機は、第１インタフェースと着脱自在な第２インタフェースと、基地局装置と無線通信する通信手段と、ユーザインタフェースで受け付けた要求を第２インタフェースを通じて取得し、その要求に応じて通信手段を制御する通信制御手段と、この通信制御手段の制御によって通信がなされる場合に、通信手段が受信した受話音声信号を第２インタフェースを通じて玩具に出力するとともに、第２インタフェースを通じて入力される音声信号を通信手段によって無線送信する制御を行う通話制御手段とを具備して構成するようにした。
【発明の効果】
【０００６】
以上述べたように、この発明では、玩具に、ユーザインタフェースと、マイクロホンと、スピーカと、第１インタフェースとを備え、この第１インタフェースに着脱自在な第２インタフェースによって、通信手段と、通信制御手段と、通話制御手段とを取り外し可能なように構成した。
【０００７】
したがって、この発明によれば、比較的高価な通信手段と、通信制御手段と、通話制御手段とを玩具から取り外して別の同様の玩具で利用することができるため、玩具に汚れが生じた場合や、玩具の形状に飽きてしまった場合に、安価に交換可能な移動無線端末装置およびインタフェース装置を提供できる。
【発明を実施するための最良の形態】
【０００８】
以下、図面を参照して、この発明の一実施形態について説明する。  
図１は、この発明の一実施形態に係わる移動無線端末装置の構成を示すものである。この移動無線端末装置は、主制御装置１００、無線通信モジュール２００、ユーザインタフェース３００を備えている。
【０００９】
主制御装置１００は、本体制御部１０１と、音声符号化／復号化部１０２と、記憶部１０３と、電源制御部１０４と、キーインタフェース部１０５と、緊急発信用スイッチ１０６と、第１インタフェース１０７と、第２インタフェース１０８とを備える。
【００１０】
無線通信モジュール２００は、アンテナ２０１と、アンテナスイッチ２０２と、送信部２０３と、受信部２０４と、変調部２０５と、復調部２０６と、ＴＤＭＡ符号化部２０７と、ＴＤＭＡ復号化部２０８と、音声用トランスコーダ２０９と、モジュール制御部２１０と、ＲＯＭ２１１と、ＲＡＭ２１２と、電源２１３と、インタフェース２１４とを備える。
【００１１】
ユーザインタフェース３００は、主操作部３０１と、マイクロホン３０２と、レシーバ３０３と、スピーカ３０４と、状態表示部３０５と、電池３０６と、電源スイッチ３０７と、応答スイッチ３０８と、終話スイッチ３０９と、インタフェース３１０とを備える。
【００１２】
主制御装置１００と無線通信モジュール２００は、第１インタフェース１０７とインタフェース２１４とによって電気的および物理的に接続され、一体化している。また主制御装置１００とユーザインタフェース３００は、第２インタフェース１０８とインタフェース３１０とによって電気的および物理的に、着脱自在に接続される。
【００１３】
またユーザインタフェース３００は、例えば図２（ａ）に示すような熊のぬいぐるみ内に設けられる。そして、このぬいぐるみの背面は、図２（ｂ）に示すように、内部に通じる開封口３１１を備え、同じく背面を示す図２（ｃ）のように、その内部において、第２インタフェース１０８とインタフェース３１０とが接続され、主制御装置１００と無線通信モジュール２００は、ぬいぐるみの内部に収容される。
【００１４】
移動通信網に収容される基地局装置から送信された無線信号は、アンテナ２０１によって受信される。アンテナスイッチ２０２は、モジュール制御部２１０によって切替制御され、この切替制御によって、アンテナ２０１によって受信した無線信号は、受信部２０４に出力され、一方、送信部２０３から出力される送信信号は、アンテナ２０１に出力される。
【００１５】
受信部２０４は、受信した無線信号をベースバンド信号にダウンコンバートし、復調部２０６に出力する。復調部２０６は、上記ベースバンド信号を復調して符号化データを得る。ＴＤＭＡ復号化部２０８は、上記符号化データのうち、当該移動無線端末装置に割り当てられたタイムスロットのデータを抽出する復号化処理を行い、このデータを音声用トランスコーダ２０９に出力する。
【００１６】
音声用トランスコーダ２０９は、ＴＤＭＡ復号化部２０８から与えられるデータを圧縮された状態から伸長し、符号化音声データを得る。この符号化音声データは、インタフェース２１４および第１インタフェース１０７を介して、音声符号化／復号化部１０２に出力される。
【００１７】
また音声用トランスコーダ２０９は、第１インタフェース１０７およびインタフェース２１４を介して、音声符号化／復号化部１０２から出力される符号化音声データを圧縮し、ＴＤＭＡ符号化部２０７に出力する。ＴＤＭＡ符号化部２０７は、音声用トランスコーダ２０９から与えられたデータを、当該移動無線端末装置に割り当てられたタイムスロットに挿入する符号化処理を行う。
【００１８】
変調部２０５は、ＴＤＭＡ符号化部２０７から出力されるデータで、ベースバンド周波数の搬送波を変調する。送信部２０３は、変調部２０５が出力するベースバンド周波数の信号を無線周波数にアップコンバートする。このようにして得られた無線周波の送信信号は、アンテナスイッチ２０２およびアンテナ２０１を通じて空間に放射される。
【００１９】
モジュール制御部２１０は、本体制御部１０１からの指示にしたがって、上述した無線通信モジュール２００の各部を統括して制御し、上記基地局装置との間でＴＤＭＡ方式による無線通信を実現する。またモジュール制御部２１０は、当該移動無線端末装置宛ての着信を検出する機能を有し、着信を検出すると、ＴＤＭＡ復号化部２０８が着信信号から抽出したデータから発信元の電話番号を抽出し、これを本体制御部１０１に通知する機能を備える。このような着信の通知は、着信が継続している間、継続して行われる。
【００２０】
ＲＯＭ２１１は、モジュール制御部２１０の制御プログラムや制御データを記憶する。ＲＡＭ２１２は、上記無線通信に必要なデータを一時的に記憶するもので、モジュール制御部２１０によってデータが読み書きされる。電源２１３は、当該無線通信モジュール２００の各部に動作用電力を供給する。
【００２１】
本体制御部１０１は、主制御装置１００を統括して制御する機能や、無線通信モジュール２００やユーザインタフェース３００を対応するインタフェースを通じて制御する機能を備え、発信処理や着信処理などの制御機能を備える。
【００２２】
音声符号化／復号化部１０２は、本体制御部１０１からの指示にしたがって動作する。例えば、無線通信モジュール２００から与えられる符号化音声データを音声符号化／復号化部１０２にて復号して音声信号を得る。この音声信号は、第２インタフェース１０８およびインタフェース３１０を介して、レシーバ３０３より拡声出力される。
【００２３】
またマイクロホン３０２より入力された話者の送話音声信号は、インタフェース３１０および第２インタフェース１０８を介して、音声符号化／復号化部１０２に入力され、ここで符号化されて、符号化音声データとなる。この符号化音声データは、上述したように、音声用トランスコーダ２０９に出力される。
【００２４】
記憶部１０３は、本体制御部１０１の制御プログラムや制御データを記憶する。  
電源制御部１０４は、インタフェース３１０および第２インタフェース１０８を介して、ユーザインタフェース３００内に備えられた電池３０６から出力される電力を、本体制御部１０１からの指示にしたがって、主制御装置１００の各部に供給するものである。
【００２５】
キーインタフェース部１０５は、インタフェース３１０および第２インタフェース１０８を介して、ユーザインタフェース３００内に備えられた主操作部３０１を収容し、主操作部３０１に対するユーザ操作を検出し、この検出結果を本体制御部１０１に通知する。
【００２６】
ユーザインタフェース３００は、発呼スイッチ３０１ａ、３０１ｂ、３０１ｃ、３０１ｄを備える。発呼スイッチ３０１ａ、３０１ｂ、３０１ｃ、３０１ｄは、図３に示すような２つの発信先（通常用、緊急用）がそれぞれ予め割り当てられており、どちらかの発信先に発信するためのスイッチである。なお、これらの発信先の電話番号は、記憶部１０３が記憶する。
【００２７】
また発呼スイッチ３０１ａは、例えば図２に示すように、ぬいぐるみの右手内に設けられ、ユーザがその右手を握ることでＯＮ状態となるもので、ＯＮ／ＯＦＦの各状態は、キーインタフェース部１０５を介し接続された本体制御部１０１によって検出される。同様に、発呼スイッチ３０１ｂ、３０１ｃ、３０１ｄは、左手内、右足内、左足内にそれぞれ設けられ、ユーザが握るとＯＮ状態となり、同様にして、ＯＮ／ＯＦＦの各状態は、キーインタフェース部１０５を介し接続された本体制御部１０１によって検出される。なお、これらの発呼スイッチは、手足に限らず、耳や臀部などのいずれの体の部位であってもよい。
【００２８】
緊急発信用スイッチ１０６は、発呼スイッチ３０１ａ、３０１ｂ、３０１ｃ、３０１ｄの発信先を、通常用あるいは緊急用に切り替えるためのスイッチである。このスイッチの設定によって、本体制御部１０１は、発呼スイッチ３０１ａ、３０１ｂ、３０１ｃ、３０１ｄの発信先を、図３（ａ）に示すものか、あるいは図３（ｂ）に示すものに切り替える。
【００２９】
スピーカ３０４は、本体制御部１０１からインタフェース３１０および第２インタフェース１０８を介して出力される音声信号を拡声出力するものであって、メロディや音階のあるビープ音、音声案内などを発する。例えば、図２に示したぬいぐるみの首や頭の内部に搭載される。
【００３０】
状態表示部３０５は、LCD(Liquid Crystal Display)などを用いた表示装置であって、インタフェース３１０および第２インタフェース１０８を通じて本体制御部１０１によって制御され、当該移動無線端末装置の稼働状態を示す情報を表示する。例えば、図２に示したぬいぐるみの左胸の表面に搭載される。
【００３１】
電源スイッチ３０７は、当該移動無線端末装置の電源をＯＮ／ＯＦＦするためのスイッチである。この電源スイッチ３０７の状態は、インタフェース３１０および第２インタフェース１０８を通じて本体制御部１０１によって検出される。本体制御部１０１は、ＯＮ状態を検出すると、電力を各部に供給する制御を行う。例えば、図２に示したぬいぐるみの臀部に搭載される。
【００３２】
応答スイッチ３０８は、着信は発生した場合にユーザが操作することで、上記着信に応答するためのもので、この応答スイッチ３０８の状態は、インタフェース３１０および第２インタフェース１０８を通じて本体制御部１０１によって検出される。例えば、図２に示したぬいぐるみの右耳内に搭載される。
【００３３】
終話スイッチ３０９は、通話を終了する場合にユーザが操作することで、通信回線を切断するためのもので、この終話スイッチ３０９の状態は、インタフェース３１０および第２インタフェース１０８を通じて本体制御部１０１によって検出される。例えば、図２に示したぬいぐるみの左耳内に搭載される。
【００３４】
次に、上記構成の移動無線端末装置の動作について説明する。以下の説明では特に、発信や着信に関わる制御について説明する。  
まず、図４を参照して、発信に関わる制御について説明する。図４に示すフローチャートは、本体制御部１０１によって実行される処理を示すものであって、記憶部１０３に記憶される制御プログラムや制御データにしたがって、本体制御部１０１が動作することにより、上記処理を実現する。この処理は、主制御装置１００の電源が投入されると、電源が切られるまで繰り返し実行される。
【００３５】
まずステップ４ａにおいて本体制御部１０１は、キーインタフェース部１０５による主操作部３０１に対する操作の検出結果を監視し、発呼スイッチ３０１ａ、３０１ｂ、３０１ｃ、３０１ｄのうちいずれかに対して押下する操作を検出すると、ステップ４ｂに移行する。
【００３６】
ステップ４ｂにおいて本体制御部１０１は、キーインタフェース部１０５による主操作部３０１に対する操作の検出結果を監視し、ステップ４ａで検出した操作が、予め設定した時間以上、継続しているか否か、すなわち押下された状態が例えば１秒以上継続しているか否かを判定する。ここで、連続した操作の継続（長押し）を検出した場合には、ステップ４ｃに移行し、一方、操作が継続しなかった場合には、ステップ４ａに移行して、操作の監視を行う。
【００３７】
なお、発信操作が長押しによって受け付けられるのに対して、応答スイッチ３０８や終話スイッチ３０９に対する操作は、それより短い時間でも受け付けられるようにすることで、操作を区別する。また、物が発呼スイッチ上に載るなどの誤発信を防止するために、より長く（例えば１０秒）操作が継続する場合には、本体制御部１０１は、誤操作と見なして、発信を行わないように、ステップ４ａに戻るようにしてもよい。すなわちこの場合、１秒以上１０秒未満の間、押下された場合に、長押しと見なす。
【００３８】
ステップ４ｃにおいて本体制御部１０１は、緊急発信用スイッチ１０６がオン状態か否かを判定する。ここで、緊急発信用スイッチ１０６がオフ状態の場合には、ステップ４ｄに移行し、一方、緊急発信用スイッチ１０６がオン状態の場合には、ステップ４ｅに移行する。
【００３９】
ステップ４ｄにおいて本体制御部１０１は、記憶部１０３が記憶する電話番号のうち、図３（ａ）に示した通常用の電話番号を参照する。そして、本体制御部１０１は、これらのうち、ステップ４ａで操作が検出された発呼スイッチに対応する電話番号のデータを読み出し、ステップ４ｆに移行する。
【００４０】
ステップ４ｅにおいて本体制御部１０１は、記憶部１０３が記憶する電話番号のうち、図３（ｂ）に示した緊急用の電話番号を参照する。そして、本体制御部１０１は、これらのうち、ステップ４ａで操作が検出された発呼スイッチに対応する電話番号のデータを読み出し、ステップ４ｆに移行する。
【００４１】
ステップ４ｆにおいて本体制御部１０１は、モジュール制御部２１０に対して、ステップ４ｄもしくはステップ４ｅで読み出した電話番号のデータを与えて、この電話番号に発信するように指示する。これに対してモジュール制御部２１０は、無線通信モジュール２００の各部を統括して制御して、基地局装置に対して発信信号を送信して、本体制御部１０１から通知された電話番号に対する発信を行う。
【００４２】
そして発信が完了すると、モジュール制御部２１０は、通話先との間に通信リンクを確立する。すると、モジュール制御部２１０は、通信リンクが確立した旨を本体制御部１０１に通知し、この通知を受けた本体制御部１０１は、ステップ４ｇに移行する。
【００４３】
ステップ４ｇにおいて本体制御部１０１は、通話処理を開始し、ステップ４ｈに移行する。すなわち、本体制御部１０１は、音声符号化／復号化部１０２を起動する。これにより、音声符号化／復号化部１０２は、音声用トランスコーダ２０９から与えられる符号化音声データを復号して音声信号を得たり、マイクロホン３０２より入力された話者の送話音声信号を符号化して、これにより得た符号化音声データを音声用トランスコーダ２０９に出力する。このようにして、通話相手からの音声を拡声出力するとともに、ユーザの送話音声を通話相手に送信して、通話が行える状態となる。
【００４４】
ステップ４ｈにおいて本体制御部１０１は、ステップ４ｃと同様にして、緊急発信用スイッチ１０６がオン状態か否かを判定する。ここで、緊急発信用スイッチ１０６がオフ状態の場合には、当該処理を終了し、一方、緊急発信用スイッチ１０６がオン状態の場合には、ステップ４ｉに移行する。
【００４５】
ステップ４ｉにおいて本体制御部１０１は、緊急用の発信先に発信が為されたことより、登録外の電話番号からの着信を拒否する登録外着信拒否機能を解除し、当該処理を終了する。これにより、本体制御部１０１は、着信時に通知される電話番号が、図３（ａ）または図３（ｂ）のいずれにも記憶されていない電話番号であったとしても、着信に応答できる（もしくは自動応答できる）ように、設定を変更する。すなわち、警察関係や消防関係、警備会社など、予め登録していない電話番号からの着信を受け付けることが可能となる。
【００４６】
なお、ステップ４ｆにおいて発信が失敗した場合においては、ステップ４ｈに移行するようにしてもよい。これによれば、緊急用の発信先に発信したにもかかわらず、発信が失敗した場合には、ステップ４ｈからステップ４ｉに移行することになり、以後、登録外の電話番号からの着信を拒否する機能が解除され、警察関係や消防関係、警備会社など、予め登録していない電話番号からの着信を受け付けることが可能となる。
【００４７】
次に、図５を参照して、着信に関わる制御について説明する。図５に示すフローチャートは、本体制御部１０１によって実行される処理を示すものであって、記憶部１０３に記憶される制御プログラムや制御データにしたがって、本体制御部１０１が動作することにより、上記処理を実現する。この処理は、モジュール制御部２１０から着信が発生した旨の通知を受けると実行される。
【００４８】
まずステップ５ａにおいて本体制御部１０１は、モジュール制御部２１０が検出した発信元の電話番号（以下、発番号と略称する）を取得し、ステップ５ｂに移行する。なお、発番号の通知が無い場合には、取得せずに、ステップ５ｂに移行する。
【００４９】
ステップ５ｂにおいて本体制御部１０１は、上記登録外着信拒否機能が解除されているか否かを判定する。ここで、例えば前述したステップ４ｉなどによって、登録外着信拒否機能が解除されている場合には、ステップ５ｆに移行する。一方、登録外着信拒否機能が解除されていない場合には、ステップ５ｃに移行する。
【００５０】
ステップ５ｃにおいて本体制御部１０１は、ステップ５ａで発番号を取得したか否かを判定する。ステップ５ａで発番号を取得した場合には、ステップ５ｄに移行し、一方、ステップ５ａで発番号を取得していない場合には、ステップ５ｅに移行する。
【００５１】
ステップ５ｄにおいて本体制御部１０１は、ステップ５ａで取得した発番号が、記憶部１０３に発信先として記憶された電話番号か否かを判定する。ここで、ステップ５ａで取得した発番号が、記憶部１０３に発信先として記憶された電話番号の場合には、ステップ５ｆに移行し、一方、記憶部１０３に発信先として記憶されていない電話番号の場合には、ステップ５ｅに移行する。
【００５２】
ステップ５ｅにおいて本体制御部１０１は、モジュール制御部２１０に対して、着信を拒否するように指示し、着信を報知することなく、当該処理を終了する。これにより、モジュール制御部２１０は、ＴＤＭＡ符号化部２０７など送信系の各部を制御して、基地局装置に着信を拒否する信号を送信させる。これにより、発信者に対して、着信が拒否されている旨が通知される。
【００５３】
ステップ５ｆにおいて本体制御部１０１は、スピーカ３０４を通じて着信が発生した旨を報知するメロディなどの音を出力するとともに、ステップ５ａで取得した電話番号に対応付けられた名称を記憶部１０３から読み出し、この名称や、電話番号を状態表示部３０５に表示して、着信が発生した旨を報知する処理を開始し、ステップ５ｇに移行する。
【００５４】
なおここで、登録外着信拒否機能が解除されている場合には、本体制御部１０１は、ステップ５ｋに移行してもよい。これにより、ユーザは、応答操作を行わずに、自動的に通話が開始できる。またこの場合、着信報知を行わずに、ステップ５ｋに移行する構成も考えられる。これにより、周囲に着信発生が認識されることなく、音声を通話相手に送信することができる。
【００５５】
ステップ５ｇにおいて本体制御部１０１は、応答スイッチ３０８が操作されたか否かを監視する。そして、応答スイッチ３０８が操作されたことを検出した場合には、ステップ５ｊに移行する。一方。応答スイッチ３０８が操作されたことを検出しない場合には、ステップ５ｈに移行する。
【００５６】
ステップ５ｈにおいて本体制御部１０１は、モジュール制御部２１０からの着信通知が継続しているか否かを判定する。ここで、モジュール制御部２１０からの着信通知が継続している場合には、ステップ５ｇに移行し、一方、モジュール制御部２１０からの着信通知が終了した場合には、ステップ５ｉに移行する。
【００５７】
ステップ５ｉにおいて本体制御部１０１は、スピーカ３０４および状態表示部３０５に対する制御を終了して、着信の報知動作を終了し、当該処理を終了する。
【００５８】
一方、ステップ５ｊにおいて本体制御部１０１は、スピーカ３０４および状態表示部３０５に対する制御を終了して、着信の報知動作を終了し、ステップ５ｋに移行する。
【００５９】
ステップ５ｋにおいて本体制御部１０１は、通話処理を開始し、当該処理を終了する。すなわち、本体制御部１０１は、音声符号化／復号化部１０２を起動する。これにより、音声符号化／復号化部１０２は、音声用トランスコーダ２０９から与えられる符号化音声データを復号して音声信号を得たり、マイクロホン３０２より入力された話者の送話音声信号を符号化して、これにより得た符号化音声データを音声用トランスコーダ２０９に出力する。このようにして、通話相手からの音声を拡声出力するとともに、ユーザの送話音声を通話相手に送信して、通話が行える状態となる。
【００６０】
以上のように、上記構成の移動無線端末装置は、発信要求や着信応答を受け付けるユーザインタフェース３００がぬいぐるみ等の玩具に予め搭載されており、ユーザインタフェース３００のインタフェース３１０と、主制御装置１００の第２インタフェース１０８が着脱自在な構成となっており、主制御装置１００と無線通信モジュール２００は、上記玩具内に収納可能となっている。そして、主制御装置１００は、ユーザインタフェース３００で受け付けたユーザ指示にしたがって無線通信モジュール２００を制御して、通信を行うようにしている。
【００６１】
したがって、上記構成の移動無線端末装置によれば、例えばぬいぐるみメーカなどが、ユーザインタフェース３００を備えたぬいぐるみを製造し、通信機器メーカが主制御装置１００および無線通信モジュール２００を製造し、これらを組み合わせることで移動無線端末装置として機能する。
【００６２】
すなわち、ぬいぐるみメーカは、比較的安価なユーザインタフェース３００を備えたぬいぐるみを製造することで、主制御装置１００および無線通信モジュール２００のユーザに対して、交換用のぬいぐるみを安価に提供することができる。このため、ユーザは趣向に応じて、好みのぬいぐるみを比較的安価に手に入れることができ、また飽きれば別のぬいぐるみを入手すればよく、新たに主制御装置１００や無線通信モジュール２００を購入する必要がない。また通信機器メーカは、ユーザインタフェースを備えない汎用型の通信機を提供するだけでよい。
【００６３】
また、ぬいぐるみの手足に発呼スイッチを設け、それを握るなどしてスイッチをオン状態にすることで発信が行えるので、子供でも簡単に発信操作を行うことができる。また緊急発信用スイッチ１０６の操作によって、発信先を警察などの緊急の発信先に切り替えることができる。
【００６４】
そして、発呼スイッチの操作は、例えば１秒以上の長押しが為された場合に、発信要求があったものと判定して、発信を行うようにしている。このため、誤ってぬいぐるみの手足を握ることで発信が行われてしまうことを防止できる。またさらに長く（例えば１０秒以上）長押しが続いた場合には、発信要求ではないものと見なして発信を行わないので、誤発信を防止することができる。
【００６５】
そしてまた、予め登録した電話番号だけに発信できるようになっているため、通話相手を限定することができる。また予め登録した電話番号以外からの着信には応じない登録外着信拒否機能を備えているので、通話相手を限定でき、例えばいたずら電話などに対応することができる。
【００６６】
また、上記構成の移動無線端末装置は、緊急の発信先に発信を行った場合には、上記登録外着信拒否機能を解除して、着信の報知や着信応答を受け付けて通話を行えるようにしている。このため、緊急発信を行った後に、警察関係などから折り返しで為される発信に応答して通話を行うことができる。
【００６７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６８】
その一例として例えば、上記実施の形態では、発呼スイッチをユーザインタフェース３００だけに設けるようにしたが、図６に示すように、主制御装置１００に副操作部１１０を設けるようにしてもよい。この場合、キーインタフェース部１０５に代わって、キーインタフェース部１０５の機能と切替機能を備える切替部１０９を設ける。
【００６９】
切替部１０９は、副操作部１１０内の開閉スイッチ１１１の状態を監視し、この監視結果に応じて、主操作部３０１と副操作部１１０とのうち、いずれか一方を有効にするものである。開閉スイッチ１１１は、副操作部１１０が誤って操作されないようにする開閉カバーの開閉状態を検出するものである。
【００７０】
そして切替部１０９は、開閉スイッチ１１１が閉状態を検出すると、主操作部３０１からの入力を有効にし、一方、開閉スイッチ１１１が開状態を検出すると副操作部１１０からの入力を有効にする。
【００７１】
副操作部１１０は、ダイヤルスイッチ１０８ａ〜１０８ｌを備え、図７に示すように、これらがそれぞれダイヤルキーに対応しており、副操作部１１０からの入力が有効な場合に、切替部１０９が数字入力を検出し、入力された数字を電話番号として本体制御部１０１に通知する。  
このような構成によれば、例えば大人が副操作部１１０のカバーを開けて操作を行うことで、任意の電話番号に対して発信することができる。
【００７２】
また上記実施の形態では、１つの発呼スイッチを長押しした場合に、所定の発信先に発信を行うようにしたが、これに代わり、もしくはこれに加えて、本体制御部１０１が、複数の発呼スイッチを同時に長押しした場合や、複数の発呼スイッチを予め設定した順序で操作した場合を検出し、その場合に予め記憶部１０３に記憶した所定の発信先に発信するようにしてもよい。これによれば、操作の組み合わせによって、少ない発呼スイッチでも多数の発信先に発信することができ、また誤発信を防止することができる。
【００７３】
そしてまた上記実施の形態では、ぬいぐるみ内にユーザインタフェース３００を搭載する場合を例に挙げて説明したが、動物のぬいぐるみに限定されるものではなく、自動車など種々の玩具に適用することができる。
【００７４】
また上記実施の形態では、無線通信モジュール２００が採用する通信方式として、ＴＤＭＡ方式を例に上げて説明したが、これに限定されるものではなく、ＣＤＭＡ方式やOFDMA方式、無線ＬＡＮなど種々の通信方式を採用することが可能である。  
その他、この発明の要旨を逸脱しない範囲で種々の変形を施しても同様に実施可能であることはいうまでもない。
【図面の簡単な説明】
【００７５】
【図１】この発明に係わる移動無線端末装置の一実施形態の構成を示す回路ブロック図。
【図２】図１に示した移動無線端末装置を搭載する玩具の一例を示す図。
【図３】図１に示した発呼スイッチに割り当てた電話番号の一例を示す図。
【図４】図１に示した移動無線端末装置の発信時の動作を説明するフローチャート。
【図５】図１に示した移動無線端末装置の着信時の動作を説明するフローチャート。
【図６】この発明に係わる移動無線端末装置の別の実施形態の構成を示す回路ブロック図。
【図７】図６に示したダイヤルスイッチに割り当てたダイヤル番号の一例を示す図。
【符号の説明】
【００７６】
１００…主制御装置、１０１…本体制御部、１０２…音声符号化／復号化部、１０３…記憶部、１０４…電源制御部、１０５…キーインタフェース部、１０６…緊急発信用スイッチ、１０７…第１インタフェース、１０８…第２インタフェース、１０８ａ〜１０８ｌ…ダイヤルスイッチ、１０９…切替部、１１０…副操作部、１１１…開閉スイッチ、２００…無線通信モジュール、２０１…アンテナ、２０２…アンテナスイッチ、２０３…送信部、２０４…受信部、２０５…変調部、２０６…復調部、２０７…ＴＤＭＡ符号化部、２０８…ＴＤＭＡ復号化部、２０９…音声用トランスコーダ、２１０…モジュール制御部、２１３…電源、２１４…インタフェース、３００…ユーザインタフェース、３０１…主操作部、３０１ａ〜３０１ｄ…発呼スイッチ、３０２…マイクロホン、３０３…レシーバ、３０４…スピーカ、３０５…状態表示部、３０６…電池、３０７…電源スイッチ、３０８…応答スイッチ、３０９…終話スイッチ、３１０…インタフェース、３１１…開封口。
【図１】
2010011279.tif 000003
【図２】
2010011279.tif 000004
【図３】
2010011279.tif 000005
【図４】
2010011279.tif 000006
【図５】
2010011279.tif 000007
【図６】
2010011279.tif 000008
【図７】
2010011279.tif 000009